(57)【要約】      （修正有）【課題】手摺りの安全装置は手摺のスカートガードへの入り口に異物や子供の手等が引き込まれる際に防潜具が押されスイッチが働きエスカレータを止める構造である。インレットブーツの円周の一部に電磁石と金属板を使い、安全スイッチが働くと開放される装置を用いたりしないで、また、奥に引き込まれ身体が追従できなくて腕を脱臼し大怪我になるようなことのない安全装置を提供する。【解決手段】第１の安全装置としてインレットブーツ装置を備えインレットブーツの踏み段側側面中央高さの中央を奥行き全長に渡り肉厚の薄い部分を設け亀裂破断し易い形状とした。次にインレットブーツに続くその奥のスカートガード１１に切欠きを設け第２の安全装置として軟質材のカバー１１ａを設けインレットブーツと同じように踏み段側側面の中央高さの中央を奥行き全長に渡り肉厚の薄い部分１１ｅを設け亀裂破断し易い形状とした。【選択図】図５
2012001287.tif 000002
【特許請求の範囲】
【請求項１】
乗客コンベアの移動手摺が欄干下部のスカートガードに入る入り口のインレットブーツにおいて前記インレットブーツをバネ支持し背面に検出スイッチを設けたインレット安全装置を第１の安全装置として前記ブーツの高さの中央部を水平方向全長に渡り肉厚を薄く形成し亀裂破断し易くし、さらに第２の安全装置としてインレットに続くスカートガードに開口部を形成し前記開口部を覆う軟質材のカバーを備え前記カバーの高さの中央部を水平方向全長に渡り肉厚を薄く形成し亀裂破断し易くしたことを特徴とする乗客コンベアインレット安全装置。
【請求項２】
前記インレットの第１の安全装置のブーツの高さの中央部に水平方向全長に渡り嵌め合わせとしたこと、さらにインレットに続く第２の安全装置のカバーの高さの中央部に水平方向全長に渡り嵌め合わせとしたことを特徴とする請求項１項に記載の乗客コンベアインレット安全装置。
【請求項３】
前記インレットに続く第２の安全装置のカバーは上下の端は断面円形で中央にピン穴があり軸受け金具でピンを支持しさらに上下をバネで押さえたことを特徴とする請求項１項および２項に記載の乗客コンベアインレット安全装置。
【発明の詳細な説明】
【技術分野】
【０００１】
この発明は、エスカレータや動く歩道等の乗客コンベアの手摺の安全装置に関する技術である。特に上記エスカレータの手摺のスカートガードの入り口(インレット安全装置)に荷物や幼い子供達が近付き手摺と共に引き込まれる事故において事故を排除、また万一に引き込まれても外れ易くして怪我を軽微にするものである。
【背景技術】
【０００２】
先行文献１は従来のインレット装置に関するものである。    
【０００３】
従来のインレット安全装置は移動手摺がスカートガードに入る入り口に軟質材のインレットブーツ（防潜具）が備えられている。手摺とともに共に異物や子供の手等がインレット部分に来ると防潜具に当たりバネで支持された防潜具が後退することにより背後のスイッチが押されエスカレータの動きを停止させるものである。
【先行技術文献】
【特許文献】
【０００４】
【特許文献１】特開２００４−２２４５５３号公報
【特許文献２】特開２０１０−２３９５８号公報
【発明の概要】
【発明が解決しようとする課題】
【０００５】
一般的に手摺りの安全装置は手摺のスカートガードへの入り口に異物や子供の手等が引き込まれる際に防潜具が押され背後のスイッチが働きエスカレータを止める構造である。  しかし手摺りと防潜具の隙間に手等が挟まれ救助隊に手を開放してもらうのに時間が掛かるといった問題があり先行文献１のインレットブーツではブーツの円周の一部が電磁石と金属板で吸引させて接合したものであり、前記安全スイッチが働くと同時に磁性体への電力を解除し接合を分離するようにしたものである。これによりインレットブーツに挟まれた異物を速やかに解除するようにしたものである。先行文献２のものは先行文献１の電磁石によりブーツのを分離させる構造は複雑で高価となることからインレットブーツにスリットを設けその部分の肉厚を薄く形成し、肉厚が薄いことによりブーツの伸展性を大きくすることで異物に対する挟み込み力を和らげ異物を引き抜き易くしたものである。
【０００６】
たしかに先行文献１のように電磁石でブーツの一部が離反できるようにしたものや先行文献２のようにブーツの一部にスリットを設け異物挟み力を低減するようにすることにより異物が抜け易くする効果が望めるが、ブーツの奥まで手摺りが行く間にエレカレータ手摺りが止まれば良いが、現行のエスカレータではインレットブーツに異物が当たりブーツが移動しスイッチが作用しエスカレータの運転を瞬時に停止させた時に、乗客コンベアに乗っている乗客が将棋倒しとなるという不具合がある。このため乗客コンベアを緩速停止させ将棋倒しを回避している。
この緩速停止のため挟まれた手等の異物がエスカレータが止まるまでにさらに奥に引き込まれ身体が追従できないので腕が脱臼し大怪我になる惧れがあった。
【課題を解決するための手段】
【０００７】
この発明は、上記のような課題を解決するためになされたものであり。第１の安全装置としてインレットブーツ装置を備え前記インレットブーツの踏み段側側面中央高さの中央を奥行き全長に渡り肉厚の薄い部分を設け亀裂破断し易い形状とした。次にインレットブーツに続くその奥のスカートガードに切欠きを設け第２の安全装置として軟質材のカバーを設けインレットブーツと同じように踏み段側側面の中央高さの中央を奥行き全長に渡り肉厚の薄い部分を設け亀裂破断し易い形状とした。
【発明の効果】
【０００８】
これにより手摺に引き込まれた手等が挟まれた作用力によって防潜具と防潜具背面の軟質材のカバーが水平方向で亀裂分離し身体がマンコンベアが停止するまでの間追従でき、状況によってはその間に引き込まれた手等を開放することができる。
【０００９】
このため従来は手などを救助隊が到着し救助してもらうまで、待たなくてはならなかったがその必要を無くすこともできる。
【図面の簡単な説明】
【００１０】
【図１】この発明の実施の形態１におけるマンコンベアの乗降口付近の斜視図。
【図２】図１の手摺がスカートガードへ入るインレット付近の拡大図。
【図３】図２のＡ矢視詳細図。
【図４】図３のＢ−Ｂ矢視断面図。
【図５】図３のＣ−Ｃ矢視断面図。
【図６】図４のＤ−Ｄ矢視断面図。
【図７】図５のＥ−Ｅ矢視断面図。
【図８】この発明の実施の形態２における図３相当の図
【図９】図８のｆ−ｆ矢視断面図、(1)は本体断面図、(2)は嵌め込み部断面、(3)は嵌め込み部が外れた時の図。
【図１０】図８のＨ−Ｈ矢視断面図、(1)は本体断面図、(2)は嵌め込み部断面、(3)は嵌め込み部が外れた時の図。
【発明を実施するための形態】
【００１１】
実施の形態１．
図１はこの発明の実施の形態１におけるマンコンベアの乗降口付近の斜視図、図２は図１の手摺がスカートガードへ入るインレット付近の拡大図、図３は図２のＡ矢視詳細図、図４は図３のＢ−Ｂ矢視断面図、図５は図３のＣ−Ｃ矢視断面図、図６は図４のＤ−Ｄ矢視断面図、図７は図５のＥ−Ｅ矢視断面図である。
【００１２】
図１から図７において、乗客コンベアとしてのエスカレータ１は、無端状に連結されて、一対の乗降口２間に循環移動可能には配設された踏み段７と、踏み段７と摺動移動可能に装着され、踏み段７と同期して移動する移動手摺６と、を備えている。
【００１３】
床板３は、上下階間に架設されたトラス(図示せず)の両端上面を塞口するように設置され、それぞれ乗降口２を構成する。踏み段７は、一方の床板３から湧き出し、移動手摺り６に同期して他方の床板３側に移動し、他方の床板３の下部に沈み込んで反転し、一方の床板３側に移動し、反転して一方の床板３から湧き出るようにトラスに循環移動可能に配設され、トラスの端部に配設された駆動機（図示せず)などにより駆動される。
【００１４】
各欄干５は、踏み段４に移動方向に所定の間隔でトラスに立設された欄干柱(図示せず)に支持されて、一方の乗降口２から他方の乗降口２に至るように延設されている。また、移動手摺り入り込み口を構成するインレットブーツ１０ａが、デッキボード７とスカートガード８の正面に配設されている。さらにインレット安全装置１０がインレット内部かけて配設されている。
【００１５】
このように構成されたインレット安全装置１０は第１の安全装置として、ブーツ部分が軟質材で形成された筒状で先端部から傾斜面を備え異物を外側に排除し易くしている。またブーツはバネ１０ｄに支持され、異物が手摺と共に引き込まれた場合にはブーツの底部への移動を検出する安全スイッチ１０ｆが配置されてエスカレータの運転を停止させるようにしている。
【００１６】
本発明のインレットブーツは踏み段側の高さ中央部分１０ｇ部を水平方向全長に渡り肉厚を薄く形成し、亀裂破断し易くして第1の安全装置とした。
またインレットに続くスカートガードに開口部１１ｇを設け、そこに軟質材のカバー１１を設け第２の安全装置とした。前記カバーはブーツと同じように高さ中央部を水平方向全長に渡り肉厚を薄くした部分１１eを形成し、亀裂破断し易く形成した。
前記カバー１１は上下端部を断面円形に形成し中央にピン穴を設け、ピン１１ｂを軸受け金具１１ｃで支持し、バネ１１ｆで押してカバーに張りを与えた。
【００１７】
手摺と共に手などの異物はインレットブーツの先端のテーパー部で外部へ排除するが排除できずに、ブーツと手摺の隙間に引き込まれると、引き込まれた作用力によりブーツを後退させ安全スイッチ１０ｆが働きエスカレータを停止させる。また引き込まれた力によりブーツの中央部分が亀裂破断し手を抜け易くする。
それでも手が抜けない場合まだエスカレータが止まるまで手摺が移動するのでブーツ背面のカバー部に手が達するとカバーの中央の肉厚の薄い部分１１eが亀裂破断し手へのダメージを低減させ同時に体と手が離れないように追従させることができ脱臼等の怪我を防ぐことができる。また手摺りが奥へ移動する間に手が抜けることも期待できる。
【００１８】
実施の形態２．
図８は実施の形態２を示す図３相当の図、図９は図８のＦ−Ｆ矢視断面図、図１０は図８のＨ−Ｈ矢視断面図である。
【００１９】
実施の形態１ではインレットブーツおよびスカートガードのカバーは肉厚の薄い部分で亀裂破断し易く形成したが実施の形態２ではその亀裂破損し易い部分を嵌め込み構造として異物が引き込まれる作用力で外れる構造とした。
これにより実施の形態１と同様な効果を得ることができ事故復旧後嵌め込みを戻すことにより製品を再使用できるので安価にすることができる。
【符号の説明】
【００２０】
１  エスカレータ、
２  乗り込口、
３  床板、
４  踏み段、
５  欄干、
５a  欄干ガラス、
５ｂ  手摺りガイドレール、
６  移動手摺り、
７  デッキボード、
８  スカートガード、
９  アウターガード、
９a  アウターデッキ、
１０  第１の安全装置のインレット装置、
１０a  インレットブーツ、
１０ｂ  ブーツ基部、
１０ｃ   バネ支持金具、
１０ｄ  ブーツ支持バネ、
１０e  スイッチ取付金具、
１０ｇ  肉厚が薄く亀裂破断し易い部分、
１１  第２の安全装置のスカートガードカバー、
１１a  カバー、
１１ｂ  軸ピン、
１１ｃ  軸受金具、
１１ｄ  バネ受け、
１１e   肉厚が薄く亀裂破断し易い部分、
１１ｆ  バネ、
１１ｇ  断面円形部、
１２  インレットブーツ、
１２a  薄肉部、
１２ｂ  嵌め込み穴、
１２ｃ  ブーツ、
１２ｄ  分離部、
１２ｅ  嵌め込み型、
１３  カバー、
１３a  嵌め込み穴、
１３ｂ  分離部、
１３ｃ  嵌め込み型、
１４    カバー
【図１】
2012001287.tif 000003
【図２】
2012001287.tif 000004
【図３】
2012001287.tif 000005
【図４】
2012001287.tif 000006
【図５】
2012001287.tif 000007
【図６】
2012001287.tif 000008
【図７】
2012001287.tif 000009
【図８】
2012001287.tif 000010
【図９】
2012001287.tif 000011
【図１０】
2012001287.tif 000012